(57)【要約】【課題】ダビングおよびそれに伴う処理の設定を容易にするダビングウィザードを提供する。【解決手段】ダビングにおける一連の処理が少なくともダビング元の選択とダビング先の選択とダビング先の初期化の有無を含むときに、この一連のダビング処理を一括して行う設定を行うためのユーザインターフェースを含むウィザードを用意する（ＳＴ１０、ＳＴ２０、ＳＴ２８、ＳＴ３２、ＳＴ３６）。そして、前記ウィザードによる設定内容に従い前記一連のダビング処理を実行する（ＳＴ４０）。【選択図】      図９
2008071443.tif 000002
【特許請求の範囲】
【請求項１】
ある記録場所に記録されたコンテンツを別の記録場所に書き込むダビングを行なう方法において、
ダビングにおける一連の処理がダビング元の選択とダビング先の選択とダビング先の初期化の有無を含むときに、この一連のダビング処理を一括して行う設定を行うためのユーザインターフェースを含むウィザードを用意し、
前記ウィザードによる設定内容に従い前記一連のダビング処理を実行するダビング処理方法。
【請求項２】
前記ダビング先がＤＶＤメディアの場合にそのメディアの種類を判定し、そのメディアが初期化を必要とする場合には初期化の実施を促すグラフィカルユーザインターフェースを表示し、このグラフィカルユーザインターフェースを介してユーザが選択したフォーマット形式で初期化を行う処理を、前記一連のダビング処理の中で実施する請求項１に記載の方法。
【請求項３】
前記ウィザード中でダビング完了後のファイナライズの有無を指定し、ファイナライズすることが指定されているならば、ダビング完了後、自動的にファイナライズを行う請求項１または請求項２に記載の方法。
【請求項４】
前記ウィザード中でダビング完了後の自動電源オフの有無を指定し、電源オフすることが指定されているならば、ダビング完了後、自動的に電源をオフする請求項１ないし請求項３のいずれか１項に記載の方法。
【請求項５】
ＤＶＤビデオフォーマットによるダビングを行う場合において、前記ウィザード中でダビング完了後のメニュー作成の有無を指定し、メニュー作成することが指定されているならば、ダビング完了後、自動的にダビングコンテンツのメニューを作成する請求項１ないし請求項４のいずれか１項に記載の方法。
【請求項６】
ある記録場所に記録されたコンテンツを別の記録場所に書き込むダビングを行なう機能を有する装置であって、
ダビングにおける一連の処理がダビング元の選択とダビング先の選択とダビング先の初期化の有無を含むときに、この一連のダビング処理を一括して行う設定を行うためのユーザインターフェースを含むウィザードを表示させる表示手段と、
前記ウィザードによる設定内容に従い前記一連のダビング処理を実行させる実行手段を具備したデジタル録画装置。
【請求項７】
前記ダビング先がＤＶＤメディアの場合にそのメディアの種類を判定し、そのメディアが初期化を必要とする場合には初期化の実施を促すグラフィカルユーザインターフェースを表示し、このグラフィカルユーザインターフェースを介してユーザが選択したフォーマット形式で初期化を行う処理を、前記一連のダビング処理の中で実施するように構成した請求項６に記載の装置。
【請求項８】
前記ウィザード中でダビング完了後のファイナライズの有無を指定し、ファイナライズすることが指定されているならば、ダビング完了後、自動的にファイナライズを行うように構成した請求項６または請求項７に記載の装置。
【請求項９】
前記ウィザード中でダビング完了後の自動電源オフの有無を指定し、電源オフすることが指定されているならば、ダビング完了後、自動的に電源をオフするように構成した請求項６ないし請求項８のいずれか１項に記載の装置。
【請求項１０】
ＤＶＤビデオフォーマットによるダビングを行う場合において、前記ウィザード中でダビング完了後のメニュー作成の有無を指定し、メニュー作成することが指定されているならば、ダビング完了後、自動的にダビングコンテンツのメニューを作成するように構成した請求項６ないし請求項９のいずれか１項に記載の装置。
【発明の詳細な説明】
【技術分野】
【０００１】
この発明は、ＤＶＤ−ＶＲなどのデジタルレコーダにおけるダビング処理方法とこの方法を用いる録画装置に関する。
【背景技術】
【０００２】
デジタルバーサタイルディスク（ＤＶＤ）の録画フォーマットには、セル販売されるＤＶＤソフトなどで使用されているＤＶＤビデオフォーマット（あるいはハイビジョン対応のＨＤ＿ＤＶＤビデオフォーマット）と、ＤＶＤレコーダで使用され編集処理が可能なＤＶＤ−ＶＲフォーマット（あるいはハイビジョン対応のＨＤＶＲフォーマット）がある。多くのＤＶＤレコーダでは、記録媒体として、ハードディスク（ＨＤＤ）および光ディスク（ＤＶＤ−ＲＡＭ、ＤＶＤ−ＲＷ、ＤＶＤ−Ｒ等）が使用されている。ＤＶＤレコーダでは、これらの種々な記録媒体を適宜使い分けて、適宜、映像コンテンツのダビングを行えるようになっている。
【０００３】
ダビングを行えるＤＶＤレコーダの中には、ユーザ操作にグラフィカルユーザインターフェース（ＧＵＩ）を導入してユーザ操作の便宜を図っているものがある（特許文献１参照）。
【特許文献１】特開２００１−２５０３１９号公報
【発明の開示】
【発明が解決しようとする課題】
【０００４】
特許文献１は、記録再生装置の外部ディスプレイに情報表示する手段を有し、外部ディスプレイ上に表示される情報を確認しながら、画面上の操作釦を選択、確定することにより操作する手段を有する。これにより、記録する情報の選択や、記録動作中、記録終了の確認が容易になる。しかしながら、種々なメディア間の複雑なダビング操作を容易にするには更なる工夫が求められる。
【０００５】
この発明の課題の１つは、ダビングおよびそれに伴う処理の設定を容易にするダビングウィザードを提供することである。
【課題を解決するための手段】
【０００６】
この発明の一実施の形態に係るダビング処理方法は、ある記録場所（例えばＨＤＤ）に記録されたコンテンツを別の記録場所（例えばＤＶＤ−Ｒ／ＲＷ）に書き込む際に用いることができる。この方法において、ダビングにおける一連の処理がダビング元の選択とダビング先の選択とダビング先の初期化の有無を含むときに、この一連のダビング処理を一括して行う設定を行うためのユーザインターフェース（図２〜図８）を含むウィザードを用意する（ＳＴ１０、ＳＴ２０、ＳＴ２８、ＳＴ３２、ＳＴ３６等のユーザ設定を促すＧＵＩを用いる）。そして、前記ウィザードによる設定内容に従い前記一連のダビング処理を実行する（ＳＴ４０）。
【０００７】
前記「ダビングにおける一連の処理」は、ダビング完了後、自動的にファイナライズを行う処理（ＳＴ４２）、自動的に電源をオフする（ＳＴ４４）処理、および／または自動的にダビングコンテンツのメニューを作成する処理（ＳＴ４１）を含むことができる。
【発明の効果】
【０００８】
ダビングにおける一連の処理を一括して行うことができる。
【発明を実施するための最良の形態】
【０００９】
以下、図面を参照してこの発明の実施の形態を説明する。図１は、この発明を適用した映像録画装置（ＤＶＤ／ＨＤＤ／ＶＣＲハイブリッドマルチレコーダ）の実施の一形態を示す図である。この実施の形態では、記録媒体としてＤＶＤ−Ｒなどの光ディスク、ハードディスク（ＨＤＤ）、アナログビデオレコーダ（ＶＣＲ／ＶＴＲ）等を取り扱うことができる装置（ＶＣＲ／ＨＤＤ付ＤＶＤ−ＶＲレコーダ）として示しているが、記録媒体として半導体メモリ等を適宜併用してもよい。ここで、「ＤＶＤ−ＶＲレコーダ」と表記する映像録画装置は、ＤＶＤ−ＶＲフォーマットのみならずＤＶＤビデオフォーマットもサポートしており、ＤＶＤメニュー作成機能も持つものである。図１において、各ブロックを大きく分けると、左側には記録部の主なブロックを示し、右側には再生部の主なブロックを示し、下側には制御部の主なブロックを示している。
【００１０】
図１の映像録画装置（ＤＶＤ−ＶＲレコーダあるいはＨＤ＿ＤＶＤ−ＶＲレコーダ）は、複数種類のディスクドライブ部と、適宜、アナログビデオレコーダ部を有する。まず、ビデオファイルを構築できる情報記録媒体である第１のメディアとしての光ディスク（ＤＶＤ−ＲＡＭ、ＤＶＤ±ＲＷ、ＤＶＤ±Ｒ、ＨＤ＿ＤＶＤ−ＲＡＭ、ＨＤ＿ＤＶＤ−ＲＷ、ＨＤ＿ＤＶＤ−Ｒなど）１００１を回転駆動し、情報の読み書きを実行するディスクドライブ部１００２（メディアドライバを含む）を有する。また、第２のメディアとしてのハードディスク（ＨＤＤ）を駆動するハードディスクドライブ部２００１（ハードディスクドライバを含む）を有する。さらに、第３のメディアとしてアナログビデオカセットレコーダＶＣＲ（あるいはアナログビデオテープレコーダＶＴＲ）で構成されるＶＣＲ／ＶＴＲ部３００１を有する（ＶＣＲ／ＶＴＲ部のない実施形態も可能）。
【００１１】
データプロセッサ部（Ｄ−ＰＲＯ部）１００３は、ディスクドライブ部１００２及びハードディスクドライブ部２００１に記録データを供給することができ、また、再生された信号を受け取ることができる。ディスクドライブ部１００２は、光ディスク１００１に対する回転制御系、レーザ駆動系（波長が６５０ｎｍの赤色レーザ、あるいは４０５ｎｍもしくはそれ以下の青色レーザを用いる）、光学系などを有する。データプロセッサ部１００３は、記録または再生単位のデータを取り扱うもので、バッファ回路、変調・復調回路、エラー訂正部などを含む。
【００１２】
また図１の映像録画装置は、録画側を構成するエンコーダ部５０と、再生側を構成するデコーダ部６０と、装置本体の動作を制御するマイクロコンピュータ（ＭＰＵ）３０を主たる構成要素として具備している。エンコーダ部５０は、入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも適宜含む。エンコーダ部５０の出力は、バッファメモリ５２を含むフォーマッタ５１にて所定のフォーマット（ＤＶＤ−Ｒ／ＲＷフォーマット等）に変換され、先のデータプロセッサ部１００３に供給される。
【００１３】
エンコーダ部５０には、ＶＣＲ／ＶＴＲ部３００１からのアナログビデオ信号／アナログオーディオ信号、ＡＶ入力部４１からの外部アナログビデオ信号／外部アナログオーディオ信号、あるいはＴＶチューナ部４２からのアナログビデオ信号／アナログオーディオ信号が入力される。また、エンコーダ部５０（およびＭＰＵ３０）は、IEEE1394インターフェース４５を介して外部のデジタル機器（デジタルチューナやデジタルＶＣＲ／ＶＴＲなど）と任意に接続可能に構成され、さらにIEEE802.3インターフェース４６を介してローカルエリアネットワークに接続された外部デジタル機器（パーソナルコンピュータなど）と任意に接続可能に構成されている。
【００１４】
ＴＶチューナ部（地上波アナログチューナ、地上波デジタルチューナ、衛星デジタルチューナ等をそれぞれ１台または複数台含む）４２は、図示しないアンテナで受信した放送局の放送波から、ユーザあるいはＭＰＵ３０の指示に応じたチャンネルを選局する。このようにして受信選局された放送波は、例えばストリームデータとしてエンコーダ部（信号処理部）５０に出力される。
【００１５】
なお、エンコーダ部５０は、圧縮されたデジタルビデオ信号やデジタルオーディオ信号が直接入力されるときは、圧縮デジタルビデオ信号やデジタルオーディオ信号を直接フォーマッタ５１に供給することもできる。またエンコーダ部５０は、アナログデジタル変換されたデジタルビデオ信号やオーディオ信号を、ビデオミキシング部７１やオーディオセレクタ７６に直接供給することもできる。エンコーダ部５０に含まれるビデオエンコーダでは、デジタルビデオ信号はＭＰＥＧ２（またはＭＰＥＧ１もしくはＭＰＥＧ４−ＡＶＣなど）規格に基づいた可変ビットレートで圧縮されたデジタルビデオ信号に変換される。デジタルオーディオ信号は、ＭＰＥＧまたはＡＣ−３規格に基づいて固定ビットレートで圧縮されたデジタルオーディオ信号、あるいはリニアＰＣＭのデジタルオーディオ信号に変換される。
【００１６】
副映像信号がＡＶ入力部４１から入力された場合（例えば副映像信号の独立出力端子付ＤＶＤビデオプレーヤからの信号など）、あるいはこのようなデータ構成のＤＶＤビデオ信号が放送されてそれがＴＶチューナ部４２で受信された場合は、ＤＶＤビデオ信号中の副映像信号が副映像エンコーダでエンコード（ランレングス符号化）されて副映像のビットマップとなる。エンコードされたデジタルビデオ信号、デジタルオーディオ信号、副映像データは、フォーマッタ５１にてパック化され、ビデオパック、オーディオパック、副映像パックとなり、さらにこれらが集合されて、ＤＶＤビデオ規格で規定されたフォーマット（ＤＶＤビデオフォーマット）や、ＤＶＤビデオレコーディング規格で規定されたフォーマット（ＤＶＤ−ＶＲフォーマット）に変換される。図１の装置がハイビジョン対応レコーダである場合は、エンコードされた信号はＨＤ＿ＤＶＤ−ＶＲフォーマット等に変換される。
【００１７】
ここで図１の装置は、フォーマッタ５１でフォーマット化された情報（ビデオ、オーディオ、副映像データなどのパック）及び作成された管理情報を、データプロセッサ部１００３を介してハードディスクドライブ部２００１および／またはデータディスクドライブ部１００２に供給し、ハードディスクおよび／または光ディスク１００１に記録することができる。またハードディスク２００１（あるいは光ディスク１００１）に記録された情報を、データプロセッサ部１００３とディスクドライブ部１００２を介して、光ディスク１００１（あるいはハードディスク）に記録（ダビング）することもできる。またハードディスク２００１あるいは光ディスク１００１に記録されている複数番組のビデオオブジェクトを、一部削除したり、分割したり、異なる番組のオブジェクトを繋げたり、といった編集処理を行うこともできる。これは、この発明の一実施の形態で利用するＤＶＤ−ＶＲフォーマット（あるいはＨＤ＿ＤＶＤ−ＶＲフォーマット）が、取り扱うデータ単位を定義し、編集を容易にしているからである。
【００１８】
図１の装置の制御部は、ＭＰＵ３０を備えて構成され、記録再生装置内の各機能回路部についての制御を実行する。ＭＰＵ３０内のＲＯＭ３１ａには、ＭＰＵ３０が実行すべきプログラムや初期設定情報などの所要の情報が格納される。ここで、ＲＯＭ３１ａは、電源供給が停止してもそれまでの記憶内容が保持される不揮発性メモリであり、書き換え可能なメモリ素子（フラッシュメモリ等）を用いて構成されているものとする。これにより、装置がユーザの手に渡ったあとでも、書き換え可能ＲＯＭ３１ａ内のファームウエアを、デジタル放送波等を経由してアップデートできる。例えば、後述する図９のメニュー作成ステップＳＴ４１の処理がないファームウエアをインストールした図１の装置が販売されたあとでも、デジタル放送経由で、その装置の書き換え可能ＲＯＭ３１ａに、メニュー作成ステップＳＴ４１の処理が入ったファームウエアを書き込むことができる。
【００１９】
ＭＰＵ３０内のＲＡＭ３１には、ＭＰＵ３０が各種処理を実行する際に参照するデータや、ＭＰＵ３０が処理過程において生成したデータなどが記憶保持される。ＭＰＵ３０は、ＲＯＭ３１ａに格納された制御プログラムに従い、ＲＡＭ３１をワークエリアとして用いて、欠陥場所検出、未記録領域検出、録画情報記録位置設定、ＵＤＦ記録、ＡＶアドレス設定、履歴情報検索処理などを実行する。
【００２０】
すなわち、ＭＰＵ３０は、システム全体を制御するために必要な情報処理部を有するもので、ファームウエアＲＯＭ３１ａ、ＧＵＩ処理部３１ｂ、内部タイマー３１ｃ、ワークＲＡＭ３１、ディレクトリ検出部３２のほか、図示しないがＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部などを備える。さらに、ＭＰＵ３０は、ＤＶＤ−Ｒディスクに対してＶＲ記録等を行なう際の区画（Rzone）の処理を行なう処理部３６と、履歴情報検索を行なう処理部３５と、録画を実行する際の管理情報の制御部３４と、編集を実行する際の管理情報の制御部３３と、記録可能光ディスク（ＤＶＤ±Ｒ、ＤＶＤ±ＲＷ、ＨＤ＿ＤＶＤ−Ｒ、ＨＤ＿ＤＶＤ−ＲＷなど）の初期化（フォーマッティング）処理部３８、記録可能光ディスクのファイナライズ処理部３９などを備える。なお、部分使用済みディスクを初期化状態に戻す処理、装置の電源オン／オフ制御等は、その他の処理部３７で処理される。ＭＰＵ３０の実行結果のうち、ユーザに通知すべき内容（ＧＵＩ処理部３１ｂの処理に対応する内容等）は、映像データ記録再生装置の表示部４３に表示されるか、またはモニター７５にＯＳＤ（オンスクリーンディスプレイ）等で対話的に表示される。
【００２１】
ＭＰＵ３０には、図１の映像録画装置を操作するための操作信号を与えるキー入力部（操作部）４４が接続されている。このキー入力部４４は、例えば映像録画装置の本体上に設けた操作スイッチ類、あるいはリモコン装置などに相当する。このキー入力部４４に対して行われた操作に応じて、ＭＰＵ３０は所要の制御処理を実行する。また、入力部４４は、この発明の一実施の形態に係る映像録画装置と有線通信あるいは無線通信あるいは光通信や赤外線通信などの手段を用いて接続されたパーソナルコンピュータであってもよい。いずれの形態であるにせよ、ユーザがこのキー入力部４４を操作することにより、入力された映像音声信号の録画処理や、録画されたコンテンツの再生処理、あるいは録画されたコンテンツに対する編集処理などを施すことができる。なお、ＧＵＩ処理部３１ｂの処理に対応してモニター７５に表示されるダイアログボックス（対話形式のウインドウ：図２〜図８参照）に対するユーザ操作は、リモコン等を用いて実行できる。
【００２２】
ディスクドライブ部１００２、ハードディスクドライブ部２００１、ＶＣＲ／ＶＴＲ部３００１、データプロセッサ部１００３、エンコーダ部５０および／またはデコーダ部６０などをＭＰＵ３０が制御するタイミングは、ＳＴＣ（システムタイムクロック）４８からの時間データに基づいて実行することができる。録画や再生の動作は、通常はＳＴＣ４８からのタイムクロックに同期して実行されるが、それ以外の処理はＳＴＣ４８とは独立したタイミングで実行されてもよい。その際の時間情報は、（必要であれば）例えば内部タイマー３１ｃから得ることができる。
【００２３】
デコーダ部６０は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードするＳＰデコーダと、セパレータで分離されたオーディオデータ（オーディオパックの内容）をデコードするＡデコーダとを有する。またデコードされた主映像にデコードされた副映像を適宜合成し、主映像にメニュー、ハイライトボタン、字幕やその他の副映像を重ねて出力するビデオプロセッサを備えている。
【００２４】
デコーダ部６０の出力ビデオ信号は、ビデオミキシング部７１に入力される。ビデオミキシング部７１では、テキストデータの合成が行われる。またビデオミキシング部７１には、ＴＶチューナ４２、Ａ／Ｖ入力部４１、あるいはＶＣＲ／ＶＴＲ部３００１からの信号を直接取り込むラインもまた接続されている。ビデオミキシング部７１には、バッファとして用いるフレームメモリ７２が接続されている。ビデオミキシング部７１の出力がアナログ出力の場合はアナログＩ／Ｆ７３を介して外部出力され、デジタル出力の場合はデジタル／アナログ変換器７４を介して外部へ出力される。
【００２５】
デコーダ部６０の出力オーディオ信号は、セレクタ７６を介してデジタルアナログ変換器７７でアナログ変換され外部に出力される。セレクタ７６は、ＭＰＵ３０からのセレクト信号により制御される。これによりセレクタ７６は、ＴＶチューナ４２やIEEE1394Ｉ／Ｆ４５からのデジタル信号を直接モニターする時、エンコーダ部５０をスルーした信号を直接選択することも可能である。
【００２６】
なお、エンコーダ部５０のフォーマッタ５１では、録画中、各切り分け情報を作成し、定期的にＭＰＵ３０へ送る（ＧＯＰ先頭割り込み時などの情報）。切り分け情報としては、ＶＯＢＵのパック数、ＶＯＢＵ先頭からのＩピクチャのエンドアドレス、ＶＯＢＵの再生時間などがある。同時に、アスペクト情報処理部からの情報を録画開始時にＭＰＵ３０へ送り、ＭＰＵ３０はＶＯＢストリーム情報（ＳＴＩ）を作成する。ここでＳＴＩは、解像度データ、アスペクトデータなどを保存し、再生時、各デコーダ部ではこの情報を元に初期設定が行われる。
【００２７】
また図１の装置では、ビデオファイルは１ディスクに１ファイルとしている。またデータをアクセス（シーク）している間に、途切れないで再生を続けるために、最低限連続する情報単位（サイズ）を決めている。この単位をＣＤＡ（コンティギュアス・データ・エリア）という。ＣＤＡサイズは、ＥＣＣ（エラー訂正コード）ブロック（１６セクタ）の倍数であり、ファイルシステムではこのＣＤＡ単位で記録を行っている。
【００２８】
データプロセッサ部１００３は、エンコーダ部５０のフォーマッタからＶＯＢＵ単位のデータを受け取り、ＣＤＡ単位のデータをディスクドライブ部１００２あるいはハードディスクドライブ部２００１に供給している。またＭＰＵ３０は、記録したデータを再生するのに必要な管理情報を作成し、データ記録終了のコマンドを認識すると、作成した管理情報をデータプロセッサ部１００３に送る。これにより、管理情報がディスクに記録される。従って、エンコードが行われているとき、ＭＰＵ３０は、エンコーダ部５０からデータ単位の情報（切り分け情報など）を受け取る。また、ＭＰＵ３０は、記録開始時には光ディスク及びハードディスクから読み取った管理情報（ファイルシステム）を認識し、各ディスクの未記録エリアを認識し、データ上の記録エリアをデータプロセッサ部１００３を介してディスクに設定している。
【００２９】
次に、管理情報と、コンテンツである実映像データとの関係を簡単に説明する。まず実映像データについて説明する。ここでは実映像データは記録メディア上で１つのファイルにまとめられているとする。１つのファイルは、１つまたは複数の実映像データストリームで構成されている。１つ１つの実映像データストリームは、例えば１回の録画処理により記録される単位であったりする。これは、例えばＤＶＤ−ＶＲ規格におけるＶＯＢ（ビデオオブジェクト）などに相当する。１つの実映像データストリームは、１つまたは複数のストリーム部分領域で構成される。これは、例えばＤＶＤ−ＶＲ規格におけるＶＯＢＵ（ビデオオブジェクトユニット）や、ＭＰＥＧ２規格におけるＧＯＰ（グループオブピクチャ）などに相当する。１つのストリーム部分領域は、複数パックから構成される。複数のパックとしては、情報パック、映像パック、音声パックなどが存在する。副映像パックが存在してもよい。
【００３０】
情報パックは、例えばＤＶＤビデオレコーディング（ＤＶＤ−ＶＲ）規格におけるＲＤＩパックなどに相当する。その場合、このパックには、これが属するＶＯＢＵの最初のフィールドが再生される開始時間を示す情報、当該ＶＯＢＵの記録時を示す情報、製造者情報（ＭＮＦＩ）などを含む。また、ディスプレイ制御情報（ＤＣＩ）及びコピーコントロール情報（ＣＣＩ）を含む。ディスプレイ制御情報は、アスペクト比情報、サブタイトルモード情報、フィルムカメラモード情報を示す。コピーコントロール情報は、コピー許可情報、またはコピー禁止（非許可）情報を含む。なお、デジタル放送コンテンツには１度だけ録画を許可するコピーワンスのコピーコントロール情報が付加されている。このようなコンテンツを一旦ＨＤＤあるいはＤＶＤディスク等に録画すると、録画されたコンテンツはそれ以上のコピーが禁止される。但し、機器によっては、ダビング実施に伴いダビング元のコンテンツを消去するムーブ（移動）が可能な場合がある。図１に例示した装置は、このムーブも可能に構成されている。
【００３１】
映像パックはビデオデータがＭＰＥＧ２の方式で圧縮されたもので、パックヘッダ、パケットヘッダ、ビデオデータ部で構成される。音声パックはオーディオデータが、例えばリニアＰＣＭあるいはＭＰＥＧ、あるいはＡＣ−３などの方式で処理されたものであり、パックヘッダ、パケットヘッダ、オーディオデータ部で構成される。
【００３２】
次に、管理情報について説明する。管理情報の中に、実映像データの再生順序を管理する情報（再生順序情報）であるオリジナルタイトル（プログラム）情報が定義されている。これは、例えばＤＶＤ−ＶＲ規格におけるプログラムなどに相当する。個々のオリジナルタイトル情報（またはプログラム情報）の中には参照情報が定義されており、これは再生すべき対象となる実映像データに関する情報である実映像データ情報とリンクしている。これらは、例えばＤＶＤ−ＶＲ規格におけるセルとビデオオブジェクト情報（ＶＯＢＩ）などに相当する。このようにオリジナルタイトル（プログラム）は、再生順序を管理する情報（再生順序情報）およびそれ自身の実映像データを持ち、通常、録画時にはこのタイトルが作成される。
【００３３】
これに対し、再生順序を管理する情報（再生順序情報）のみで構成されているものもある。これがプレイリスト情報であり、例えばＤＶＤ−ＶＲ規格におけるプレイリストなどがこれに相当する。このプレイリスト情報はそれ自身の実映像データを持たず、オリジナルタイトルの実映像データ情報に対してリンクしている参照情報を編集（削除、追加）することでプレイリストとして作成される。
【００３４】
実映像データ情報内にはタイムマップ情報が記述されている。このタイムマップ情報は、実映像データ情報に対応する実映像データストリームを構成している部分領域を指定する。管理情報のオリジナルタイトル情報あるいはプレイリスト情報の参照情報から実映像データ情報へのリンクは、論理アドレスで特定されている。またタイムマップ情報から実映像データストリーム及びその部分領域へのリンクは、実映像データストリームの番号、そのストリーム内の部分領域の数、個々の部分領域に対するエントリ番号、個々の部分領域への論理アドレスに基づいて行われている。このような構成により、録画された映像データの通常の再生のみならず、倍速／スロー再生や逆再生のような特殊再生、更にはシーンのサーチなどに対応することができる。
【００３５】
以下、図を参照してこの発明の実施の形態の動作を説明する。以下の説明においては、この発明の一実施の形態に係る映像録画装置は、次のような構成を取るものとしている。すなわち、この映像録画装置は、ＤＶＤ録画規格（ＤＶＤ−ＶＲ規格）に基づいたＤＶＤ録画装置である。この場合、ＤＶＤディスク（通常はＤＶＤ−ＲＡＭディスクまたはＤＶＤ−ＲＷディスクであるが、ＤＶＤ−Ｒへのビデオレコーディングも可能）上にはＤＶＤ−ＶＲフォーマットと呼ばれるデータフォーマットで録画される。加えて、この映像録画装置は、ＤＶＤビデオ規格（ＤＶＤビデオ規格）に基づいてＤＶＤディスクへ録画する機能も有するものとする。この場合は、ＤＶＤディスク（ＤＶＤ−Ｒディスク等）上にはＤＶＤビデオフォーマットと呼ばれるデータフォーマットで録画される。
【００３６】
この発明の一実施の形態に係る映像録画装置では、書換え可能なＤＶＤ−ＲＡＭディスクやＤＶＤ−ＲＷディスクだけでなく、ライトワンスメディアであるＤＶＤ−Ｒディスクも使用できる。これらＤＶＤディスクに対して録画を実施する際のフォーマットは、ＤＶＤディスクの種類毎に一意に固定されるものではなく、例えばＤＶＤ−Ｒ（またはＤＶＤ−ＲＷ）に対して、ＤＶＤ−ＶＲフォーマットまたはＤＶＤビデオフォーマットのいずれのフォーマットによっても録画が実施できるものとする。
【００３７】
また、以下の説明においては、この発明の一実施の形態に係る映像録画装置は、先に説明した図１のブロック図で示されるような、ＤＶＤとＨＤＤとＶＣＲ／ＶＴＲの３つの録画メディアを有するハイブリッド録画機であるとし、ＤＶＤとＨＤＤとＶＣＲ／ＶＴＲの相互間での映像情報のダビング（あるいはムーブ）が可能であるとする。ただし、この発明の実施の形態の内容は、ハイブリッド録画機だけに適用されるものではなく、ＤＶＤディスクへの録画機能のみを有した、ＤＶＤ単体の録画機（パーソナルコンピュータをソフトウエアでＤＶＤレコーダとして機能させるものも含む）に対しても適用できる。
【００３８】
また、この発明の一実施の形態に係る映像録画装置においては、録画されたタイトル内の部分領域をチャプタと呼称することとする。たとえばＤＶＤ−ＶＲフォーマットで録画された場合、チャプタは、タイトル内に設定された、ＤＶＤ−ＶＲ規格で定義されているエントリポイント（ＥＰ）をその境界の目印として利用している。すなわち、タイトル内に設定したあるＥＰとその次のＥＰとで挟まれた区間をチャプタと呼ぶ。なお、タイトルの始点と終点については、ＥＰの有無に関わらずチャプタの境界とする。従って、タイトルの１番目のチャプタについては、その始点にＥＰが立っていないこともあり得る。
【００３９】
次に、図２〜図９を参照しながら、この発明の一実施の形態に係るダビングウィザードについて説明する。通常、ＤＶＤ−Ｒ／ＲＷ等のＤＶＤメディアにダビングを実施する場合、事前にメディアの初期化を行う必要があり、ユーザがメディアの初期化を意識する必要があった。また、ダビング完了後のファイナライズに関しても、ダビング後にユーザがファイナライズの操作を行う必要があり、ユーザがＤＶＤの規格（ＤＶＤビデオ規格かＤＶＤビデオレコーディング規格か等）を意識する必要があった。この実施の形態では、ダビングにおける一連の処理を一括して行うためのウィザードを用意することで、ユーザがＤＶＤ規格をことさら意識することなくダビング処理およびＤＶＤビデオ作成を行うことができるようにしている。
【００４０】
以下、ダビングウィザード（図１のＲＯＭ３１ａ内に書き込まれたファームウエア）の処理の流れについて説明する。ダビングウィザードの処理は、大きくいって４つのステップで構成されている。すなわち、ダビング方向の選択（ステップ１）、ＤＶＤディスクの初期化（規格に合わせたフォーマッティング）（ステップ２）、ダビングパーツの選択（ステップ３）、ダビング実行前の確認（ステップ４）で構成されている。なお、ＤＶＤディスクの初期化に関しては、状況により不要場合がある。例えば未使用のＤＶＤ−ＲディスクはデフォルトでＤＶＤビデオフォーマットに対応しており、ＤＶＤビデオディスクとして用いるなら初期化は不要であるが、ＤＶＤ−ＶＲディスクとして用いるならＶＲフォーマットで初期化が必要となる。またＤＶＤ−ＲＡＭディスクをＤＶＤ−ＶＲディスクとして用いるときは通常は初期化不要となっている。
【００４１】
図示しないリモコンのキー操作などにより図９のダビングウィザードを開始すると、ステップ１として、ダビング元およびダビング先を指定するグラフィカルユーザインターフェース（ＧＵＩ：図２〜図４参照）が起動される（ＳＴ１０）。ユーザは、このＧＵＩのダイアログボックスを見ながら、手元のリモコンのカーソルキーやエンターキーを操作して、ダビング元（図２の例ではＨＤＤ２００１）およびダビング先（図３の例ではＤＶＤディスクドライブ部１００２に装填されたＤＶＤディスク）を指定する（ＳＴ１２）。また、装置がＶＣＲ／ＶＴＲを内臓したモデルであるときは、ＶＣＲ／ＶＴＲをダビング元あるいはダビング先に指定することもできる（図４の例ではダビング元がＨＤＤでダビング先がＤＶＤとなっているが、ダビング元をＶＴＲとしダビング先をＨＤＤあるいはＤＶＤとすることもできる）。
【００４２】
ダビング先にＤＶＤディスクが指定された場合（ＳＴ１４イエス）、そのメディア（ディスク）に保護がかかっているかどうかチェックされる（ＳＴ１６）。保護がかかっているとき（ＳＴ１６イエス）は記録不可であり、ダビングは中止される。保護がかかってないなら（ＳＴ１６ノー）、ステップ２として、メディアの種類およびそのメディアの現状の初期化状態によって、ＤＶＤの初期化の種類を選択するＧＵＩを、適宜起動する。すなわち、メディアが未初期化状態のＤＶＤ−Ｒまたは−ＲＷならば（ＳＴ１８イエス）、初期化のＧＵＩ（図５）が表示される（ＳＴ２０）。
【００４３】
ここで選択可能な初期化のフォーマットとしてはＤＶＤビデオフォーマットとＤＶＤ−ＶＲフォーマットがある（ユーザがＤＶＤ規格の種類を意識するのは、図９のウィザードではここだけ）。ビデオフォーマットは、既存のＤＶＤプレーヤーとの再生互換性を重視したフォーマットであるが、デジタル放送等、コピー制御が行われているタイトルを記録することができない。一方、ＶＲフォーマットは既存のＤＶＤプレーヤーとの再生互換性は低いが、ビデオ編集に向いており、コピー制御が行われているタイトルを記録（あるいはムーブ）することができる。但し、コピーワンスタイトルのディスク記録（デジタル放送番組のディスク録画）はＣＰＲＭ対応メディアのみに限られる（ＣＰＲＭはContent Protection for Recordable Mediaの略）。現在ディスクドライブ部１００２に装填されているメディア１００１が未初期化状態のＤＶＤ−Ｒディスクまたは−ＲＷディスクならば（ＳＴ１８イエス）、図５の初期化ＧＵＩを介して、ユーザはＤＶＤビデオフォーマットとするかＤＶＤ−ＶＲフォーマットとするかを選択する（ＳＴ２２）。
【００４４】
また、ダビング先がＤＶＤディスクではなく（ＳＴ１４ノー）、あるいは初期化済みのＤＶＤ−Ｒ／ＲＷディスクであり（ＳＴ１８ノー）、もしくはＤＶＤディスクであってもそれがＤＶＤ−ＲＡＭディスクである場合（ＳＴ１８ノー）は、図９のウィザードを実行する装置がＶＣＲ／ＶＴＲ搭載機種であるか否かチェックされる。ＶＣＲ／ＶＴＲ搭載機種であり（ＳＴ２４イエス）、ダビング元がＶＣＲ／ＶＴＲの場合（ＳＴ２６イエス）は、ステップ３として、ダビングの種類（ダビングモード）を選択するＧＵＩ（図６）が表示される（ＳＴ２８）。ここで選択できるダビングの種類（ＳＴ３０におけるダビングモードの選択の種類）としては、現状からのダビング、テープ頭からダビング、４．７ＧＢディスク一枚分ぴったりダビングがある（びったりダビングのモードでは、記録の平均レートが、元のテープの録画時間に合わせて算出される：例えば元のテープがＴ１２０の標準モードで２時間記録であり、ダビング先が未使用の４．７ＧＢディスクであれば、記録の平均レートは４．６Ｍｂｐｓに設定されるなど）。
【００４５】
ダビング元がＶＣＲ／ＶＴＲ以外の場合（ＳＴ２４ノーあるいはＳＴ２６ノー）は、ステップ３として、ダビング元のメディア（ＨＤＤあるいはＤＶＤディスク）に存在するタイトルの中からダビングするタイトル（ダビングパーツ）を選択するＧＵＩ（図７）が表示される（ＳＴ３２）。ここで、ダビング先がＣＰＲＭ非対応のディスクの場合、デジタル放送番組（コピーワンスだったコンテンツ）の録画済みパーツ（図７において「コピーＸ」のマークがついたサムネール）は、図９のダビングウィザードでは選択できない（コピーもムーブもできない）ようになっている（図示しないがパーツ選択できない旨とその理由のアラート文を表示する）。ダビング先がＣＰＲＭ対応のディスクの場合、「コピーＸ」のマークがついたデジタル放送番組（コピーワンスだったコンテンツ）のパーツは選択できるが、そのダビングはムーブのみとなる。
【００４６】
図７の例では、ダビングの種類として「高速そのまま（無劣化ダビング）」が指定されている。ＶＲモードで録画されたパーツをＶＲモードでダビングする場合は、通常はこの「高速そのまま（無劣化ダビング）」が最適である。しかしながら、ダビング元がＨＤＤで、そこに記録されたデジタル放送のＭＰＥＧ２−ＴＳコンテンツ（図７の例では「コピーＸ」の表示が左下についたサムネールに対応）をダビングパーツとするときは、ダビング先がＴＳモードに対応していない限り、ＶＲモードへのモード変換ダビングが自動的に（あるいはユーザ指示により）選択される（ただしダビング先のディスクはＣＰＲＭ対応であることが必要）。
【００４７】
ダビング先がIEEE1394経由で接続されたデジタルＶＣＲ（Ｄ−ＶＨＳなど）であったり、あるいは図１の装置がＨＤ＿ＤＶＤ−ＶＲレコーダであるときは、デジタルＶＣＲもＨＤ＿ＤＶＤ−ＶＲもＴＳモードに対応しているので、ＭＰＥＧ２−ＴＳのまま無劣化ダビングを実施できる。ダビング先がIEEE802.3経由でＬＡＮ接続された別のＤＶＤ−ＶＲレコーダ（あるいはＨＤ＿ＤＶＤ−ＶＲレコーダ）であるときにＭＰＥＧ２−ＴＳのまま無劣化ダビングを実施できるか否かは、ＬＡＮ接続された両機の機器仕様およびそのセッティング状態による（ハイビジョンコンテンツをダビングする場合は１００Ｍｂｐｓベース以上の高速ＬＡＮが望ましい）。ＭＰＥＧ２−ＴＳコンテンツをＶＲモードに変換してＬＡＮ経由でダビングできるか否かも、ＬＡＮ接続された両機の機器仕様およびそのセッティング状態による。ＭＰＥＧ２−ＴＳコンテンツがコピープロテクトされていないユーザ製作のカメラ撮影コンテンツであるときは、IEEE1394経由でもIEEE802.3経由でも、ダビングを可能にする機器設計は可能である。
【００４８】
図７のＧＵＩを介して、ユーザはダビングタイトル（ダビングするパーツ）を１ないし複数選択できる（ＳＴ３４）。その際、ダビング先の容量を超えてしまった場合は、ダビングの種類として「ぴったり」が自動的に選択される（この自動選択は、ユーザが希望すれば、リモコン操作などによりキャンセルできる）。これにより、選択されたタイトル（ダビングパーツ）が、ダビング先に無駄なく収まりきるように映像レートを自動的に変換して（場合によっては音声レートも落とすか、リニアＰＣＭ音声が指定されていたならそれを圧縮オーディオに切り替える処理も併用して）ダビングすることができる。このような自動処理により、ユーザが特別な操作をしなくても、容量オーバーによるダビングの失敗を防ぐことができる。なお、ユーザが任意に映像の録画レートを指定し、レート変換ダビングを実施することもできる。
【００４９】
例えば平均レート４．６ＧＢでは容量オーバーのダビングパーツに対する「びったり」ダビングの録画レートが自動計算では２．６Ｍｐｂｓであったとしても、ユーザはそのレートを自分の希望で２．２Ｍｂｐｓに設定できる。あるいは、４．７ＧＢのディスクに２．２Ｍｂｐｓで1時間分の録画が済んでおり、その余白（２．２Ｍｂｐｓで３時間分）に合計９０分のダビングパーツをダビングする際は、自動計算では録画レートが例えば４．６Ｍｂｐｓになるが、ユーザが録画済みのタイトルとレートを揃えたいと希望すれば、自動計算された４．６Ｍｂｐｓを２．２Ｍｂｐｓに変更できる。この場合は、ダビング完了後のディスクに未だ（将来の録画に備えて）未記録領域を残すことができる。あるいは、外周の録画エリアの一部に傷あるいは汚れがあるディスクの内周側の綺麗な録画エリアだけを利用したいとユーザが考えるときも、例えば自動計算された４．６Ｍｂｐｓを２．２Ｍｂｐｓに変更できる。
【００５０】
なお、一部録画済みのディスクの余白に図９のウィザードを用いてダビングを行う場合、ＳＴ３４の処理に伴い、録画済みタイトルのレート（例えば２．２Ｍｂｐｓ）をその後のダビングのレートに適用する（例えば「びったり」ダビングでは４．６Ｍｐｂｓであったとしても２．２Ｍｂｐｓを適用する）処理を自動的に行うこともできる。ここで、録画済みタイトルのレート（例えば２．２Ｍｂｐｓ）は、録画済みディスク１００１がディスクドライブ部１００２に装填されたあとそのディスクからＤＶＤ−ＶＲ規格に基づく管理情報（ＶＭＧ）を読み取ることにより、その管理情報中に記述された録画済みタイトルのビデオ属性情報から知ることができる。
【００５１】
ダビングモードの選択（ＳＴ３０）後もしくはダビングパーツの選択（ＳＴ３４）後、ステップ４として、ダビングの実行確認ＧＵＩ（図８）が表示される（ＳＴ３６）。ユーザは、このＧＵＩで、最終的にどのようなダビングが実行されるのか確認することができ、ダビングの失敗を防ぐことができる。
【００５２】
また、ダビング先にＤＶＤが指定されている場合、ファイナライズ実行の有無を指定することができる。ファイナライズ実行が指定されている場合、ダビング完了後に自動的にファイナライズが実行される（ＳＴ４２）。そのため、ダビング完了を待って別途ファイナライズを行う必要がなくなる。また、ダビング完了後に自動的に装置の電源をオフするように指定することができる。この自動電源オフ処理（ＳＴ４４）を実行することにより、無駄な電力消費を抑えることができる。
【００５３】
さらに、ＳＴ２０で選択された初期化のフォーマットがＤＶＤビデオフォーマットであったときは、ダビング終了後にＤＶＤメニュー（ダビングパーツ各々のサムネールをチャプタとして含むメニューなど）を作成するか否かを図８のＧＵＩから指定することができる。ＤＶＤメニューの作成を指定しておけば、ファイナライズが終了したあとはメニュー入りのＤＶＤビデオディスクが自動的に出来上がってくる。
【００５４】
以上のウィザードを用いたユーザ設定が終了すると、ユーザのリモコン操作により図８のＧＵＩから「ダビング開始」が選択され、（図示しないリモコンのエンターキーオンなどにより）ダビング処理の実行に移る（ＳＴ３８）。これにより、未初期化ディスク（未使用新品のＤＶＤ−ＲＷなど）に対しては初期化してからダビングが実行され、初期化不要のディスク（初期化済みのＤＶＤ−Ｒ／ＲＷ、あるいはＤＶＤ−ＲＡＭ、もしくはＨＤＤなど）に対しては初期化なしでダビングが実行される（ＳＴ４０）。
【００５５】
なお、未使用新品のＤＶＤ−Ｒディスクでも、ビデオモードのダビングを行うときは初期化不要である。一方、初期化済みのＤＶＤ−ＲＷでも、ビデオモード（あるいはＶＲモード）で初期化されたディスクにＶＲモード（あるいはビデオモード）でダビングするときは、ダビングに用いるモードで再度初期化を行うことになる。
【００５６】
ＳＴ４０の初期化およびダビングがエラーなしで完了すると、図８のＧＵＩ設定に従って、適宜、ＤＶＤメニューの作成（ＳＴ４１）、ファイナライズ（ＳＴ４２）、および装置の電源オフ（ＳＴ４４）が実行され、図９の処理は完了する。
【００５７】
図９の実施の形態において、ＳＴ４０以降の処理の流れの順序は、初期化→ダビング→メニュー作成→ファイナライズ→電源オフとなっている。この実施の形態においては、ダビングウィザード（図５参照）により初期化実行が指定されていたら指定されたモード（ＤＶＤ−ＶＲまたはＤＶＤビデオ）で初期化を行うが、指定されていなければ初期化を行わない。また、ダビングウィザード（図８参照）によりメニュー作成が指定されていたらメニュー作成を行うが、指定されていなければメニュー作成を行わない。また、ダビングウィザード（図８参照）によりファイナライズ等の実行が指定されていたらファイナライズ等を行うが、指定されていなければファイナライズ等を行わない。つまり、個々のユーザの希望に添った一連の処理が自動的に実行される。
【００５８】
＜実施の形態の効果＞
この発明を実施することにより、
（１）ダビングにおける一連の処理を一括して行うためのウィザードを用意することで、ユーザがＤＶＤ規格を意識することなく容易にダビング処理およびＤＶＤビデオ作成を行うことができるようになる。
【００５９】
（２）ダビング先がＤＶＤの場合にメディアの種類を判定し、初期化が必要な場合には初期化の実施を促すＧＵＩを表示し、ユーザが選択したフォーマット形式でフォーマットを行う処理を一連のダビング処理の中で実施することができ、ダビング処理を簡略化することができる。
【００６０】
（３）ダビング完了後、自動的にファイナライズを行う処理をオプションで行うことができ、ユーザはダビング完了を待って別途ファイナライズを行う必要がなくなる。
【００６１】
（４）ダビング完了後、自動的に電源をオフする処理をオプションで指定することができ、無駄な消費電力を抑えることができる。
【００６２】
（５）ＤＶＤビデオディスク製作のためのダビング完了後、自動的にＤＶＤメニューを作成する処理をオプションで指定することができる。
【００６３】
なお、この発明は前述した実施の形態に限定されるものではなく、現在または将来の実施段階では、その時点で利用可能な技術に基づき、その要旨を逸脱しない範囲で種々に変形することが可能である。例えば、この発明の実施において用いられる光ディスクとしては、厚み０．６mmの基盤を２枚張り合わせたＤＶＤ仕様の光ディスクの表面から０．６mm付近に２以上の記録層を設け、さらにその表面から０．１mm付近に別の記録層を設けた多層構造を採用することができる。このような多層光ディスクを用いる場合、例えば表面から０．１mmの層に波長４０５ｎｍ以下の青色レーザでＭＰＥＧ−ＴＳのストリーム記録を行い、このＴＳ記録の内容をレート変換して表面から０．６mmの層に波長６５０ｎｍの赤色レーザでＤＶＤ−ＶＲ（またはＤＶＤビデオ）規格によるダビング（コピーまたはムーブ）を行なうこともできる。このようなダビング時においても、この発明は有効である。さらに、図２〜図８の画面表示において、ユーザ操作を促す音声を出すように構成してもよい。その場合の音声情報は、例えば図１のＲＯＭ３１ａに格納しておくことができる。
【００６４】
また、各実施形態は可能な限り適宜組み合わせて実施してもよく、その場合組み合わせた効果が得られる。さらに、上記実施形態には種々の段階の発明が含まれており、開示される複数の構成要件における適当な組み合わせにより種々の発明が抽出され得る。例えば、実施形態に示される全構成要件からいくつかの構成要件が削除されても、この構成要件が削除された構成が発明として抽出され得る。
【図面の簡単な説明】
【００６５】
【図１】この発明の一実施の形態に係る映像録画装置の概要を説明するブロック図。
【図２】ダビングウィザード（ステップ１−ダビング元決定：ＶＣＲ／ＶＴＲなし）の画面を説明する図。
【図３】ダビングウィザード（ステップ１−ダビング先決定：ＶＣＲ／ＶＴＲなし）の画面を説明する図。
【図４】ダビングウィザード（ステップ１−ダビング元／ダビング先決定：ＶＣＲ／ＶＴＲあり）の画面を説明する図。
【図５】ダビングウィザード（ステップ２−ディスクの初期化）の画面を説明する図。
【図６】ダビングウィザード（ステップ３−モード種類選択：ＶＣＲ／ＶＴＲがダビング元の場合）の画面を説明する図。
【図７】ダビングウィザード（ステップ３−パーツ選択：ＶＣＲ／ＶＴＲ以外がダビング元の場合）の画面を説明する図。
【図８】ダビングウィザード（ステップ４−実行確認）の画面を説明する図。
【図９】ダビングウィザード処理の一例を説明するフローチャート図。
【符号の説明】
【００６６】
３０…マイクロコンピュータ（ＭＰＵ）、３１…ワークＲＡＭ、３１ａ…ファームウエアＲＯＭ、３１ｂ…ＧＵＩ（グラフィカルユーザインターフェース）処理部、３１ｃ…内部タイマー、３２…ディレクトリ検出部、３３…編集時の管理情報制御部、３４…録画時の管理情報制御部、３５…履歴情報検索処理部、３６…区画処理部、３７…電源オン／オフ制御その他の処理部、３８…初期化処理部、３９…ファイナライズ処理部、４１…ＡＶ入力部、４２…ＴＶチューナ、４３…表示部、４４…キー入力部、４５…IEEE1394インターフェース、４６…IEEE802.3インターフェース、５０…エンコーダ部、５１…フォーマッタ、５２…バッファメモリ、６０…デコーダ部、１００１…光ディスク、１００２…ディスクドライブ部、１００３…データプロセッサ部、２００１…ハードディスクドライブ（ＨＤＤ）部、３００１…ビデオカセットレコーダ／ビデオテープレコーダ（ＶＣＲ／ＶＴＲ）部。
【図１】
2008071443.tif 000003
【図２】
2008071443.tif 000004
【図３】
2008071443.tif 000005
【図４】
2008071443.tif 000006
【図５】
2008071443.tif 000007
【図６】
2008071443.tif 000008
【図７】
2008071443.tif 000009
【図８】
2008071443.tif 000010
【図９】
2008071443.tif 000011